(57)【要約】データネットワークにおいて制御チャネルを提供する方法と装置。方法はデータネットワークにおいて制御チャネルを提供するように作動するように提供される。方法は、１つ以上のサーバ要約を受信し、１つ以上のサーバ要約から制御チャネル要約を生成することを含んでいる。方法はさらに装置と通信し、制御チャネル要約を装置に送信することを含んでいる。【選択図】      図３
2008532439.tif 000002
【特許請求の範囲】
【請求項１】
データネットワークにおいて制御チャネルを提供する方法であって、
１つ以上のサーバ要約を受信すること、
１つ以上のサーバ要約から制御チャネル要約を生成すること、
装置と通信すること、
制御チャネル要約を装置に送信することを含む方法。
【請求項２】
前記受信することは、１つ以上の情報サーバから１つ以上のサーバ要約をそれぞれ受信することを含む請求項１の方法。
【請求項３】
制御チャネル要約を更新することをさらに含む請求項１の方法。
【請求項４】
データネットワークにおいて制御チャネルを提供する方法であって、
１つ以上のサーバ要約を受信すること、
１つ以上のサーバ要約から制御チャネル要約を生成すること、
データネットワーク上で制御チャネル要約を放送することを含む方法。
【請求項５】
前記受信することは、コンテンツ配信システムにおける１つ以上の情報サーバから１つ以上のサーバ要約をそれぞれ受信することを含む請求項４の方法。
【請求項６】
制御チャネル要約を更新することをさらに含む請求項４の方法。
【請求項７】
データネットワークにおいて制御チャネルを提供する方法であって、
１つ以上のサーバから１つ以上のサーバ要約を受信すること、
１つ以上のサーバ要約から制御チャネル要約を生成すること、
制御チャネル要約を１つ以上のサーバに送信することを含む方法。
【請求項８】
制御チャネル要約を更新することをさらに含む請求項７の方法。
【請求項９】
データネットワークにおいて制御チャネルを提供する方法であって、
サーバ要約を送信すること、
制御チャネル要約を受信すること、
装置と通信すること、
制御チャネル要約を装置に送信することを含む方法。
【請求項１０】
データネットワーク上で制御チャネル要約を放送することをさらに含む請求項９の方法。
【請求項１１】
データネットワークにおいて制御チャネルを提供する装置であって、
１つ以上のサーバ要約を受信する手段、
１つ以上のサーバ要約から制御チャネル要約を生成する手段、
装置と通信する手段、
制御チャネル要約を装置に送信する手段を含む装置。
【請求項１２】
前記受信する手段は、１つ以上の情報サーバから１つ以上のサーバ要約をそれぞれ受信する手段を含む請求項１１の装置。
【請求項１３】
制御チャネル要約を更新する手段をさらに含む請求項１１の装置。
【請求項１４】
データネットワークにおいて制御チャネルを提供する装置であって、
１つ以上のサーバ要約を受信する手段、
１つ以上のサーバ要約から制御チャネル要約を生成する手段、
データネットワーク上で制御チャネル要約を放送する手段を含む装置。
【請求項１５】
前記受信する手段は、コンテンツ配信システムにおける１つ以上の情報サーバから１つ以上のサーバ要約をそれぞれ受信する手段を含む請求項１４の装置。
【請求項１６】
制御チャネル要約を更新する手段をさらに含む請求項１４の装置。
【請求項１７】
データネットワークにおいて制御チャネルを提供する装置であって、
１つ以上のサーバから１つ以上のサーバ要約を受信する手段、
１つ以上のサーバ要約から制御チャネル要約を生成する手段、
制御チャネル要約を１つ以上のサーバに送信する手段を含む装置。
【請求項１８】
制御チャネル要約を更新する手段をさらに含む請求項１７の装置。
【請求項１９】
データネットワークにおいて制御チャネルを提供する装置であって、
サーバ要約を送信する手段、
制御チャネル要約を受信する手段、
装置と通信する手段、
制御チャネル要約を装置に送信する手段を含む装置。
【請求項２０】
データネットワーク上で制御チャネル要約を放送する手段をさらに含む請求項１９の装置。
【請求項２１】
データネットワークにおいて制御チャネルを提供する装置であって、
１つ以上のサーバ要約を受信し、かつ１つ以上のサーバ要約から制御チャネル要約を生成するように構成された処理論理と、
装置と通信し、かつ装置に制御チャネル要約を送信するように構成されたトランシーバ論理とを含む装置。
【請求項２２】
前記処理論理は、１つ以上の情報サーバから１つ以上のサーバ要約をそれぞれ受信するように構成される請求項２１の装置。
【請求項２３】
前記処理論理は、制御チャネル要約を更新するように構成される請求項２１の装置。
【請求項２４】
データネットワークにおいて制御チャネルを提供する装置であって、
１つ以上のサーバ要約を受信し、かつ１つ以上のサーバ要約から制御チャネル要約を生成するように構成された処理論理と、
データネットワーク上で制御チャネル要約を放送するように構成されたトランシーバ論理とを含む装置。
【請求項２５】
前記処理論理は、コンテンツ配信システムにおいて１つ以上の情報サーバから１つ以上のサーバ要約をそれぞれ受信するように構成される請求項２４の装置。
【請求項２６】
前記処理論理は、制御チャネル要約を更新するように構成される請求項２４の装置。
【請求項２７】
データネットワークにおいて制御チャネルを提供する装置であって、
１つ以上のサーバから１つ以上のサーバ要約を受信し、かつ１つ以上のサーバ要約から制御チャネル要約を生成するように構成された処理論理と、
制御チャネル要約を１つ以上のサーバに送信するように構成されたトランシーバ論理とを含む装置。
【請求項２８】
前記処理論理は、制御チャネル要約を更新するように構成される請求項２７の装置。
【請求項２９】
データネットワークにおいて制御チャネルを提供する装置であって、
サーバ要約を送信し、かつ制御チャネル要約を受信するように構成された処理論理と、
装置と通信し、かつ装置に制御チャネル要約を送信するように構成されたトランシーバ論理とを含む装置。
【請求項３０】
前記トランシーバ論理は、データネットワーク上で制御チャネル要約を放送するように構成される請求項２９の装置。
【請求項３１】
少なくとも１つのプロセッサによって実行されるとき、データネットワークにおいて制御チャネルを提供するように作動するコンピュータプログラムを有するコンピュータ可読媒体であって、コンピュータプログラムが、
１つ以上のサーバ要約を受信するための命令、
１つ以上のサーバ要約から制御チャネル要約を生成するための命令、
装置と通信するための命令、
制御チャネル要約を装置に送信するための命令を含むコンピュータ可読媒体。
【請求項３２】
前記受信するための命令は、１つ以上の情報サーバから１つ以上のサーバ要約を受信するための命令をそれぞれ含む請求項３１のコンピュータプログラム。
【請求項３３】
制御チャネル要約を更新するための命令をさらに含む請求項３１のコンピュータプログラム。
【請求項３４】
少なくとも１つのプロセッサによって実行されるとき、データネットワークにおいて制御チャネルを提供するように作動するコンピュータプログラムを有するコンピュータ可読媒体であって、コンピュータプログラムが、
１つ以上のサーバ要約を受信するための命令、
１つ以上のサーバ要約から制御チャネル要約を生成するための命令、
データネットワーク上で制御チャネル要約を放送するための命令を含むコンピュータ可読媒体。
【請求項３５】
前記受信するための命令は、コンテンツ配信システムにおける１つ以上の情報サーバから１つ以上のサーバ要約を受信するための命令をそれぞれ含む請求項３４のコンピュータプログラム。
【請求項３６】
制御チャネル要約を更新するための命令をさらに含む請求項３４のコンピュータプログラム。
【請求項３７】
少なくとも１つのプロセッサによって実行されるとき、データネットワークにおいて制御チャネルを提供するように作動するコンピュータプログラムを有するコンピュータ可読媒体であって、コンピュータプログラムが、
１つ以上のサーバから１つ以上のサーバ要約を受信するための命令、
１つ以上のサーバ要約から制御チャネル要約を生成するための命令、
制御チャネル要約を１つ以上のサーバに送信するための命令を含むコンピュータ可読媒体。
【請求項３８】
制御チャネル要約を更新するための命令をさらに含む請求項３７のコンピュータプログラム。
【請求項３９】
少なくとも１つのプロセッサによって実行されるとき、データネットワークにおいて制御チャネルを提供するように作動するコンピュータプログラムを有するコンピュータ可読媒体であって、コンピュータプログラムが、
サーバ要約を送信するための命令、
制御チャネル要約を受信するための命令、
装置と通信するための命令、
制御チャネル要約を装置に送信するための命令を含むコンピュータ可読媒体。
【請求項４０】
データネットワーク上で制御チャネル要約を放送するための命令をさらに含む請求項３９のコンピュータプログラム。
【請求項４１】
データネットワークにおいて制御チャネルを提供する方法を行なうように構成された少なくとも１つのプロセッサであって、方法が、
１つ以上のサーバ要約を受信すること、
１つ以上のサーバ要約から制御チャネル要約を生成すること、
装置と通信すること、
制御チャネル要約を装置に送信することを含むプロセッサ。
【請求項４２】
前記受信することが、１つ以上の情報サーバから１つ以上のサーバ要約をそれぞれ受信することを含む請求項４１の方法。
【請求項４３】
制御チャネル要約を更新することをさらに含む請求項４１の方法。
【請求項４４】
データネットワークにおいて制御チャネルを提供する方法を行なうように構成された少なくとも１つのプロセッサであって、方法が、
１つ以上のサーバ要約を受信すること、  
１つ以上のサーバ要約から制御チャネル要約を生成すること、
データネットワーク上で制御チャネル要約を放送することを含むプロセッサ。
【請求項４５】
前記受信することが、コンテンツ配信システムにおける１つ以上の情報サーバから１つ以上のサーバ要約をそれぞれ受信することを含む請求項４４の方法。
【請求項４６】
制御チャネル要約を更新することをさらに含む請求項４４の方法。
【請求項４７】
データネットワークにおいて制御チャネルを提供する方法を行なうように構成された少なくとも１つのプロセッサであって、方法が、
１つ以上のサーバから１つ以上のサーバ要約を受信すること、
１つ以上のサーバ要約から制御チャネル要約を生成すること、
制御チャネル要約を１つ以上のサーバに送信することを含むプロセッサ。
【請求項４８】
制御チャネル要約を更新することをさらに含む請求項４７の方法。
【請求項４９】
データネットワークにおいて制御チャネルを提供する方法を行なうように構成された少なくとも１つのプロセッサであって、方法が、
サーバ要約の送信すること、
制御チャネル要約を受信すること、
装置と通信すること、
制御チャネル要約を装置に送信することを含むプロセッサ。
【請求項５０】
データネットワーク上で制御チャネル要約を放送することをさらに含む請求項４９の方法。
【発明の詳細な説明】
【技術分野】
【０００１】
３５Ｕ．Ｓ．Ｃ．§１１９の下の優先権主張
特許のための本出願は、２００５年３月４日に申請された仮出願第６０／６５８，９８９号、題名「ＭＥＴＨＯＤ  ＡＮＤ  ＡＰＰＡＲＡＴＵＳ  ＦＯＲ  ＣＯＮＴＲＯＬ  ＣＨＡＮＮＥＬ  ＩＭＰＬＥＭＥＮＴＡＴＩＯＮ  ＩＮ  Ａ  ＣＬＩＥＮＴ−ＳＥＲＶＥＲ  ＳＹＳＴＥＭ」に優先権を請求し、この出願はその譲受人に譲渡され、ここに引用文献として明らかに組込まれる。
【０００２】
本出願は一般にデータネットワークにおける作動に係り、特にデータネットワークにおいて制御チャネルを提供する方法と装置に関する。
【背景技術】
【０００３】
典型的な無線運搬システムは顧客サーバに基づいたシステムである。したがって、顧客によって行なわれた動作は、１つ以上のサーバ状態に依存するかもしれない。例えば、サーバ状態は内容状態、プログラム案内状態、管理上の状態あるいは他のタイプのサーバ状態を含んでいるかもしれない。したがって、特別の流通システムの状態は、加入サーバ、分配サーバ、管理上のサーバあるいは他の任意のサーバのような多くのサーバからの情報を含んでいるかもしれない。どの時間にも、１つ以上のこれらのサーバの状態は変わるかもしれない。
【０００４】
不運にも、無線流通システム中の装置は、サービス範囲におけるパワー・ダウン運転モードか制限によりサービスの内外に行く。したがって、装置を作動させている顧客は、ネットワーク中で起こっていることを監視する問題を持っている。この問題を解決する１つのアプローチは、顧客が何らかの動作を行なう前に、装置の顧客に対してシステム内のすべてのサーバを完全にその状態に同期させることである。しかしながら、いくつかのサーバ状態が変わっていない場合、あるいはサーバ状態が希に変わる場合、これは非能率的である。さらに、サーバの状態が変わっていない場合、この技術は、それが既に持っているかもしれない状態情報を得るために、電力およびネットワーク帯域幅を利用する装置を要求するかもしれない。
【発明の開示】
【発明が解決しようとする課題】
【０００５】
したがって、必要なものは、無線装置に効率的に分配される流通システムの状態のための方法を提供するように作動するシステムである。
【課題を解決するための手段】
【０００６】
１つ以上の実施例において、方法および装置を含んでいる制御チャネルシステムは、流通システムの状態を装置へ効率的に分配するように作動するように提供される。一実施例では、制御チャネルはサーバ状態の制御チャネル（ＣＣ）要約（あるいは概要）を運ぶことを定義される。装置の顧客は、１つ以上のサーバとの様々な対話においてこのＣＣ要約を受信する。１つ以上のサーバ状態が変わったことをＣＣ要約が示す場合、顧客は単にその状態が変わったサーバとその状態を同期するようにする。したがって、制御チャネルは、無線装置に効率的に分配される流通システムの状態のための方法を提供する、総括的で柔軟なメカニズムを提供する。
【０００７】
一態様において、方法は、データネットワークにおける制御チャネルを提供するように作動するように提供される。方法は、１つ以上のサーバ要約を受信し、１つ以上のサーバ要約から制御チャネル要約を生成することを含む。方法は、さらに装置と通信し、制御チャネル要約を装置に送信することを含む。
【０００８】
一態様では、方法は、データネットワークにおいて制御チャネルを提供するように作動するように提供される。方法は、１つ以上のサーバ要約を受信し、１つ以上のサーバ要約から制御チャネル要約を生成し、データネットワーク上で制御チャネル要約を放送することを含む。
【０００９】
一態様では、方法は、データネットワークにおける制御チャネルを提供するように作動するように提供される。方法は、１つ以上のサーバから１つ以上のサーバ要約を受信し、１つ以上のサーバ要約から制御チャネル要約を生成し、制御チャネル要約を１つ以上のサーバに送信することを含む。
【００１０】
一態様では、方法は、データネットワークにおいて制御チャネルを提供するように作動するように提供される。方法は、サーバ要約を送信し、制御チャネル要約を受信し、装置と通信し、制御チャネル要約を装置に送信することを含む。
【００１１】
一態様では、装置は、データネットワークにおいて制御チャネルを提供するように作動するように提供される。装置は、１つ以上のサーバ要約を受信する手段、１つ以上のサーバ要約から制御チャネル要約を生成する手段、装置と通信する手段、制御チャネル要約を装置に送信する手段を含む。
【００１２】
一態様では、装置は、データネットワークにおいて制御チャネルを提供するように作動するように提供される。装置は、１つ以上のサーバ要約を受信する手段、１つ以上のサーバ要約から制御チャネル要約を生成する手段、データネットワーク上で制御チャネル要約を放送する手段を含む。
【００１３】
一態様では、装置は、データネットワークにおける制御チャネルを提供するように作動するように提供される。装置は、１つ以上のサーバから１つ以上のサーバ要約を受信する手段、１つ以上のサーバ要約から制御チャネル要約を生成する手段、および制御チャネル要約を１つ以上のサーバに送信する手段を含む。
【００１４】
一態様では、装置は、データネットワークにおける制御チャネルを提供するように作動するように提供される。装置は、サーバ要約を送信する手段、制御チャネル要約を受信する手段、装置と通信する手段、および装置に制御チャネル要約を送信する手段を含む。
【００１５】
一態様では、装置は、データネットワークにおける制御チャネルを提供するように作動するように提供される。装置は、１つ以上のサーバ要約を受信し、かつ１つ以上のサーバ要約から制御チャネル要約を生成するように構成された処理論理、および装置と通信し、かつ装置に制御チャネル要約を送信するように構成されたトランシーバ論理を含む。
【００１６】
一態様では、装置は、データネットワークにおける制御チャネルを提供するように作動するように提供される。装置は、１つ以上のサーバ要約を受信し、かつ１つ以上のサーバ要約から制御チャネル要約を生成するように構成された処理論理、およびデータネットワーク上で制御チャネル要約を放送するように構成されたトランシーバ論理を含む。
【００１７】
一態様では、装置は、データネットワークにおける制御チャネルを提供するように作動するように提供される。装置は、１つ以上のサーバから１つ以上のサーバ要約を受信し、１つ以上のサーバ要約から制御チャネル要約を生成するように構成された処理論理、および１つ以上のサーバに制御チャネル要約を送信するように構成されたトランシーバ論理を含む。
【００１８】
一態様では、装置は、データネットワークにおける制御チャネルを提供するように作動するように提供される。装置は、サーバ要約を送信し、かつ制御チャネル要約を受信するように構成された処理論理、および装置と通信し、かつ装置に制御チャネル要約を送信するように構成されたトランシーバ論理を含む。
【００１９】
一態様において、コンピュータ可読媒体が、少なくとも１つのプロセッサによって実行される時、データネットワークに制御チャネルを提供するように作動するコンピュータプログラムを持っているように提供される。コンピュータプログラムは、１つ以上のサーバ要約を受信するための命令、１つ以上のサーバ要約から制御チャネル要約を生成するための命令、装置と通信するための命令、および装置に制御チャネル要約を送信するための命令を含む。
【００２０】
一態様では、コンピュータ可読媒体が、少なくとも１つのプロセッサによって実行される時、データネットワークに制御チャネルを提供するように作動するコンピュータプログラムを持っているように提供される。コンピュータプログラムは、１つ以上のサーバ要約を受信するための命令、１つ以上のサーバ要約から制御チャネル要約を生成するための命令、およびデータネットワーク上で制御チャネル要約を放送するための命令を含む。
【００２１】
一態様では、コンピュータ可読媒体が、少なくとも１つのプロセッサによって実行された時、データネットワークに制御チャネルを提供するように作動するコンピュータプログラムを持っているように提供される。コンピュータプログラムは、１つ以上のサーバから１つ以上のサーバ要約を受信するための命令、１つ以上のサーバ要約から制御チャネル要約を生成するための命令、および制御チャネル要約を１つ以上のサーバに送信するための命令を含む。
【００２２】
一態様では、コンピュータ可読媒体が、少なくとも１つのプロセッサによって実行される時、データネットワークに制御チャネルを提供するように作動するコンピュータプログラムを持っているように提供される。コンピュータプログラムは、サーバ要約を送信するための命令、制御チャネル要約を受信するための命令、装置と通信するための命令、および装置に制御チャネル要約を送信するための命令を含む。
【００２３】
一態様では、少なくとも１つのプロセッサが、データネットワークに制御チャネルを提供する方法を行なうように構成されるように提供される。方法は、１つ以上のサーバ要約を受信し、１つ以上のサーバ要約から制御チャネル要約を生成し、装置と通信し、装置に制御チャネル要約を送信することを含む。
【００２４】
一態様では、少なくとも１つのプロセッサは、データネットワークに制御チャネルを提供する方法を行なうように構成されるように提供される。方法は、１つ以上のサーバから１つ以上のサーバ要約を受信し、１つ以上のサーバ要約から制御チャネル要約を生成し、制御チャネル要約を１つ以上のサーバに送信することを含む。
【００２５】
一態様では、少なくとも１つのプロセッサは、データネットワークに制御チャネルを提供する方法を行なうように構成されるように提供される。方法は、サーバ要約を送信し、制御チャネル要約を受信し、装置と通信し、装置に制御チャネル要約を送信することを含む。
【００２６】
実施の他の態様は以下に示す図面の概要、記述および請求項を調査の後に明白になるだろう。
【００２７】
ここに記述された実施例の先の態様は、添付の図面と共に得られた時、次の詳細な説明を参照することによってより容易に明白になるだろう。
【発明を実施するための最良の形態】
【００２８】
１つ以上の実施例において、制御チャネルシステムは、それがネットワーク中の無線装置へＣＣ要約を効率的に分配するように作動することを提供する。一実施例では、システムは、複数サーバからのサーバ要約が無線装置に分配される単一のＣＣ要約へ統合されることを可能にする。システムは、特によくワイヤレス・ネットワーク環境での使用に適しているが、これらに限定されずに、通信ネットワーク、インターネットのような公衆ネットワーク、仮想プライベート・ネットワーク（ＶＰＮ）のような私設ネットワーク、ローカルエリアネットワーク、広域ネットワーク、長距離輸送ネットワークあるいは他のタイプのデータネットワークを含む任意のタイプのネットワーク環境で使用されてもよい。
【００２９】
図１は制御チャネルシステムの一実施例を含むネットワーク１００を示す。ネットワーク１００は、データネットワーク１１０を利用する３台の情報サーバ（１０４、１０６および１０８）と通信している制御チャネルサーバ（ＣＣＳ）１０２を含む。情報サーバ（１０４、１０６および１０８）はネットワーク１１０で通信する装置のための様々な機能を行なうように作動する。例えば、サーバ１０４は、ネットワーク１１０上の装置に内容を供給するコンテンツサーバかもしれない。サーバ１０６は、ネットワーク１１０上の装置にＰＧを供給するプログラム案内（ＰＧ）サーバかもしれない。ＰＧはサーバ１０４から入手可能な内容について記述してもよい。サーバ１０８は、ネットワーク１１０上の装置に管理サービスを供給する管理上のサーバかもしれない。管理サービスは情報を広告し、送り状を作り、認可する支援サービスまたは任意の他のタイプのサービスを含んでもよい。
【００３０】
情報サーバ（１０４、１０６および１０８）の各々は、そのサーバによって提供されるサービスに関する情報について記述するサーバ要約を維持する。サーバ要約は生じるかもしれないあらゆるサービス変更を反映するために更新される。情報サーバ（１０４、１０６および１０８）はＣＣＳ１０２にデータネットワーク１１０を通してそれらのサーバ要約を送信するように作動する。例えば、サーバ１０４はパス１１２によって示されるようにその内容要約を送信し、サーバ１０６はパス１１４によって示されるようにそのＰＧ要約を送信し、サーバ１０８はパス１１６によって示されるようにその管理要約を送信する。
【００３１】
ＣＣＳ１０２は、情報サーバ（１０４、１０６および１０８）からサーバ要約を受信し、かつサーバ（１０４、１０６および１０８）によって提供される内容および/またはサービスをすべて記述するＣＣ要約１１８を組み立てるように作動する。ＣＣ要約は任意の適切なフォーマットにあり、どんな適切な暗号化技術を使用して暗号化されてもよい。
【００３２】
無線装置１２０は無線通信リンク１２２を介してネットワーク１１０と通信にある。無線通信リンク１２２はどんな適切な通信技術を含んでいてもよい。無線装置１２０は、これらに限定するわけではないが、移動電話、ＰＤＡ、電子メール装置、ぺージャ、ノート型コンピュータあるいは他のタイプの装置を含む任意のタイプの装置を含んでもよい。
【００３３】
一実施例では、ＣＣＳ１０２は、ネットワーク１１０上でＣＣ要約１１８を放送するように作動し、それによりネットワーク上の装置が放送を聞くことができ、ＣＣ要約１１８を受信することができる。例えば、放送（パス１３０によって示される）は通信リンク１２２を使用して装置１２０によって受信されてもよい。装置１２０は、装置がローカルに記憶したものより放送されたＣＣ要約が新しいバージョンであることを放送から決めてもよい。したがって、装置は新しい放送されたＣＣ要約の部分、あるいはＣＣ要約全体を受信し、１２８で示されるように、そのローカルに記憶されたコピーを更新してもよい。
【００３４】
別の実施例では、パス１２４によって示されるように、装置は周期的または任意の間隔でＣＣＳ１０２と通信する。通信に応じて、パス１２６によって示されるように、ＣＣＳ１０２は装置にＣＣ要約１１８を送信するように作動する。その後、装置はＣＣ要約１２８のローカルに記憶されたコピーを更新してもよい。
【００３５】
一旦装置１２０が最新のＣＣ要約を得たならば、それは情報サーバ（１０４、１０６および１０８）の１つ以上と直接通信し、パス１３２によって示されるように、ＣＣ要約に記述された利用可能な内容および/またはサービスを得る。
【００３６】
したがって、ＣＣサーバ（つまりサーバ１０２）は、以下の機能の１つ以上を行なうことにより制御チャネルシステムの１つ以上の実施例を提供するように作動する。
【００３７】
１．ＣＣ要約を維持する。
【００３８】
２．１つ以上のサーバ要約を受信する。
【００３９】
３．最新のサーバ要約情報を備えたＣＣ要約を更新する。
【００４０】
４．ネットワーク上でＣＣ要約を放送／マルチキャストする。
【００４１】
５．装置からの通信を受信する。
【００４２】
６．通信装置にＣＣ要約を直接送信する。
【００４３】
したがって、制御チャネルシステムの実施例は、流通システムの現状について記述するＣＣ要約を装置に効率的に供給するように作動する。ネットワーク１００の構成が単に１つの構成であり、他のネットワーク構成が実施例の範囲内で可能なことが注目されるべきである。
【００４４】
図２は制御チャネルシステムの一実施例を含むネットワーク２００を示す。ネットワーク２００は、データネットワーク２１０を利用する３台の情報サーバ（２０４、２０６および２０８）と通信にある制御チャネルサーバ（ＣＣＳ）２０２を含む。情報サーバ（２０４、２０６および２０８）はネットワーク２１０と通信している装置のための様々な機能を行なうように作動する。例えば、サーバ２０４は、ネットワーク２１０上の装置に内容を供給するコンテンツサーバかもしれない。サーバ２０６は、ネットワーク２１０上の装置にＰＧを供給するプログラム案内（ＰＧ）サーバかもしれない。ＰＧはサーバ２０４から入手可能な内容について記述してもよい。サーバ２０８は、ネットワーク２１０上の装置に管理サービスを供給する管理上のサーバかもしれない。管理サービスは情報を広告し、送り状を作り、認可する支援サービス、あるいは他のタイプのサービスを含んでもよい。
【００４５】
情報サーバ（２０４、２０６および２０８）の各々は、そのサーバの現状について記述するサーバ要約（示されない）を維持する。サーバ要約は生じるかもしれないあらゆるサービス変更を反映するように更新される。サーバ（２０４、２０６および２０８）はデータネットワーク２１０を通してＣＣＳ２０２にそれらのサーバ要約を送信するように作動する。例えば、サーバ２０４はパス２１２によって示されるようにそのサーバ要約を送信し、サーバ２０６はパス２１４によって示されるようにそのサーバ要約を送信し、また、サーバ２０８はパス２１６によって示されるようにそのサーバ要約を送信する。
【００４６】
ＣＣＳ２０２はサーバ（２０４、２０６および２０８）からのサーバ要約を受信し、かつすべてのサーバ（２０４、２０６および２０８）の現状について記述するＣＣ要約２１８を組み立てるように作動する。ＣＣ要約２１８は任意の適切なフォーマットにあり、どんな適切な暗号化技術を使用して暗号化されてもよい。
【００４７】
一実施例では、ＣＣＳ２０２はサーバ（２０４、２０６および２０８）にＣＣ要約２１８を送信するように作動する。その結果、サーバ（２０４、２０６および２０８）は、ＣＣ要約２１８の最新のコピーを受信する。
【００４８】
無線装置２２０は無線通信リンク２２２によってネットワーク２１０と通信にある。無線通信リンク２２２はどんな適切な通信技術を含んでもよい。無線装置２２０は、これらに限定されないが、移動電話、ＰＤＡ、電子メール装置、ぺージャ、ノート型コンピュータあるいは他のタイプの装置を含む任意のタイプの装置を含んでもよい。
【００４９】
一実施例では、サーバ（２０４、２０６および２０８）のうちのどれでもネットワーク２１０上でそれらのサーバ情報を放送／マルチキャストするように作動してもよい。例えば、パス２２４によって示されるように、サーバ２０８はその情報のうちの何かを放送してもよい。放送の一部として、サーバ２０８はＣＣ要約２１８のそのコピーを含んでいる。したがって、サーバ２０８からの放送を受信することができるどんな装置もＣＣ要約２１８を受信することができるだろう。
【００５０】
別の実施例では、装置２２０は、周期的にあるいは任意に、サーバ（２０４、２０６および２０８）のうちのどれとも通信する。例えば、パス２２６によって示されるように、装置２２０はサーバ２０８と通信する。通信に応答して、パス２２８によって示されるように、サーバ２０８は装置にＣＣ要約２１８と共に任意の要求情報も送信するように作動する。装置２２０はＣＣ要約２１８と共にサーバ２０８から情報を得て、２３０で示されるように、要約のそのローカルに記憶されたコピーを更新するように作動する。
【００５１】
したがって、ＣＣサーバ（つまりサーバ２０２）は、以下の機能の１つ以上を行なうことにより制御チャネルシステムの１つ以上の実施例を提供するように作動する。
【００５２】
１．ＣＣ要約を維持する。
【００５３】
２．１つ以上のサーバから１つ以上のサーバ要約を受信する。
【００５４】
３．最新のサーバ要約情報を備えたＣＣ要約を更新する。
【００５５】
４．１つ以上のサーバにＣＣ要約を送信する。
【００５６】
したがって、情報サーバ（つまりサーバ２０８）は、以下の機能の１つ以上を行なうことにより制御チャネルシステムの１つ以上の実施例を提供するように作動する。
【００５７】
１．サーバ要約を維持する。
【００５８】
２．ＣＣサーバにサーバ要約を送信する。
【００５９】
３．ＣＣ要約を受信する。
【００６０】
４．任意のサーバ情報を備えたＣＣ要約を放送する／マルチキャストする。
【００６１】
５．装置からの通信を受信する。
【００６２】
６．通信する装置にＣＣ要約と共にサーバ情報を直接送信する。
【００６３】
したがって、制御チャネルシステムの実施例は、流通システムの現状について記述するＣＣ要約を無線装置に効率的に供給するように作動する。ネットワーク２００の構成は単に１つの構成であり、他のネットワーク構成が実施例の範囲内で可能なことが注目されるべきである。
【００６４】
図３は制御チャネルシステムの実施例で使用されるサーバ３００の一実施例を示す。例えば、サーバ３００は、図１の中で示されるサーバ１０２あるいは図２の中で示されるサーバ２０２として使用するに適する。サーバ３００は、内部データバス３０８に接続された処理論理３０２、トランシーバ論理３０４およびメモリ３０６を含む。
【００６５】
１つ以上の実施例では、処理論理３０２はＣＰＵ、プロセッサ、ゲートアレイ、ハードウェア論理、メモリ素子、仮想計算機、ソフトウェアおよび/またはハードウェアとソフトウェアの任意の組合せを含む。したがって、処理論理３０２は、一般にマシン判読可能な命令を実行し、内部データバス３０８によってサーバ３００の１つ以上の他の機能要素を制御または通信する論理を含む。
【００６６】
トランシーバ論理３０４は、サーバ３００が通信リンク３１０を使用する遠隔装置またはシステムとデータおよび/または他の情報を送信および受信することを可能にするように作動するハードウェア論理およびソフトウェアを含む。例えば、一実施例では、通信リンク３１０はサーバ３００がネットワーク上で通信することを可能にするために任意の適切なタイプの通信リンク３１０を含む。
【００６７】
一実施例では、トランシーバ論理３０４は、通信リンク３１０を介して１つ以上のサーバからサーバ要約を受信するように構成された論理を含む。トランシーバ論理３０４は、さらに通信リンク３１０を使用して、ネットワーク上で情報を放送するように構成された論理を含む。トランシーバ論理３０４はさらに、通信チャネル３１０を使用して、ネットワークサーバまたは無線装置のような特別のネットワーク・エンティティに情報を直接送信（つまり、ユニキャスト、あるいはポイント・ツウ・ポイント）するように構成された論理を含む。
【００６８】
メモリ３０８は任意のタイプの情報を記憶するように作働可能な任意の適切なメモリ装置を含む。例えば、メモリ３０８はＲＡＭ、フラッシュ・メモリ、ＥＥＰＲＯＭ、ハードディスクおよび/または他のタイプの任意の記憶装置を含んでもよい。一実施例では、メモリ３０８は１つ以上のサーバから受信される１つ以上のサーバ要約を記憶するように作動する。
【００６９】
１つ以上の実施例の作動中に、サーバ３００は１つ以上のサーバ要約を受信し、メモリ３０８にそれらを記憶する。例えば、トランシーバ論理３０４は通信リンク３１０によってサーバ要約（３１２、３１４および３１６）を受信し、メモリ３０６にそれらを記憶する。一実施例では、処理論理３０２は、メモリ３０８に記憶されたサーバ要約（３１２、３１４および３１６）を処理し、記憶されたサーバ要約からの情報を含むＣＣ要約３１８を生成するように作動する。例えば、ＣＣ要約３１８は流通システムの現状について記述する。その後、処理論理３０２はトランシーバ論理３０４および通信リンク３１０を使用して、ネットワーク上のサーバおよび/または装置にＣＣ要約３１８を送信するように作動する。
【００７０】
一実施例では、制御チャネルシステムは、コンピュータ可読媒体上に１つ以上のプログラム命令（「プログラム命令」）を記憶するコンピュータプログラムを含み、少なくとも１つのプロセッサ、例えば処理論理３０２によって実行されるとき、ここに記述された機能を提供する。例えば、プログラム命令は、フロッピー（登録商標）ディスク、ＣＤＲＯＭ、メモリカード、ＦＬＡＳＨメモリ装置、ＲＡＭ、ＲＯＭ、または他のタイプのメモリのようなコンピュータ可読媒体、またはサーバ３００にインターフェイスするコンピュータ可読媒体からサーバ３００にロードされてもよい。別の実施例では、命令はトランシーバ論理３０４によってサーバ３００にインターフェイスする外部装置かネットワーク資源からサーバ３００へダウンロードされてもよい。プログラム命令は、処理論理３０２によって実行されるとき、ここに記述されるような制御チャネルシステムの実施例を提供する。
【００７１】
その結果、制御チャネルシステムの実施例は、受信されたサーバ要約を処理し、データネットワーク上のサーバおよび/または装置に送信されるＣＣ要約を生成するように作動する。したがって、制御チャネルシステムの実施例は、流通システムの状態について記述するＣＣ要約をサーバおよび他の装置に効率的に伝えるように作動する。
【００７２】
図４は制御チャネルシステムの実施例で使用されるＣＣ要約４００の一実施例を示す。例えば、要約４００は、図３の中で示されるＣＣ要約３１８として使用するに適している。一実施例では、ＣＣ要約４００はサーバ識別子４０２、状態識別子４０４、バージョン識別子４０６および必要条件識別子４０８を含む。
【００７３】
サーバ識別子４０２は、ＣＣ要約４００に含まれていた現状情報に関連したサーバを識別する。状態識別子４０４は、関連するサーバの現状を識別する。例えば、「ＰＧサーバ」の現状は「Ｇｕｉｄｅ＿Ｓｔａｔｅ」であり、それは任意のタイプの状態を識別するために使用される任意のタイプの状態識別子であってよい。
【００７４】
バージョン識別子４０６は、特別の状態のバージョンを識別する。例えば、「Ｇｕｉｄｅ＿Ｓｔａｔｅ」のバージョンは「２．０Ｖ」である。必要条件識別子４０８は１つ以上の他の状態を識別し、装置が特別のサーバ状態を使用する装置のために順序を持つ必要があるだろう。例えば、装置が「ＰＧサーバ」の現状に更新したい場合、それは（「Ａｄｍｉｎ＿Ｓｔａｔｅ」バージョン「１．２Ｖ」）により識別される少なくとも「管理サーバ」の状態に更新するように要求されるだろう。したがって、特別のサーバの現状を識別し、さらに装置が識別された状態で作動するために持っているべき１つ以上の最小の必要条件を識別することは、ＣＣ要約にとって可能である。例えば、装置は特別のサーバの現状に更新するために、１つ以上のサーバの識別された状態に更新する必要がある。
【００７５】
ＣＣ要約４００は単に１つの実施であり、他の実施が実施例の範囲内で可能なことは注目されるべきである。
【００７６】
図５は制御チャネルシステムの実施例で使用される方法５００の一実施例を示す。明瞭さのために、方法５００は図３の中で示されるサーバ３００に関してここに記述される。例えば、一実施例中で、処理論理３０２は以下に記述される機能を行なうためマシン判読可能な命令を実行する。
【００７７】
ブロック５０２では、ＣＣ要約の現行バージョンの放送／マルチキャストが行なわれる。例えば、処理論理３０２はデータネットワーク上でＣＣ要約３１８の現行バージョンを放送／マルチキャストするようにトランシーバ論理３０４を制御する。その結果、ネットワーク上の装置はこのバージョンを受信し、それらのローカルに記憶されたコピーを更新してもよい。
【００７８】
ブロック５０４では、１つ以上のサーバ要約が受信される。例えば、サーバ要約は通信リンク３１０を介してトランシーバ論理３０４によって受信され、メモリ３０６に記憶される。サーバ要約はネットワーク上の１つ以上のサーバからサーバ３００に送信される。
【００７９】
ブロック５０６では、ＣＣ要約の現行バージョンは受信されたサーバ要約からの情報で更新される。例えば、一実施例では、処理論理３０２はメモリ３０６に記憶された受信されたサーバ要約から情報を検索し、ＣＣ要約３１８を更新する。
【００８０】
一実施例では、方法はその後パス５１２に沿ってブロック５０２に進み、新たに最新のＣＣ要約３１８がネットワーク上の装置へ放送／マルチキャストされる。その後、放送／マルチキャストを聞く装置は、ＣＣ要約のそれらのローカルコピーを更新してもよい。別の実施例では、方法はブロック５０８へ進む。
【００８１】
ブロック５０８では、装置からの通信が受信される。例えば、装置は以前にパワーダウンモードであったか、そうでなければ利用不可能だった携帯装置であるかもしれない。したがって、装置はＣＣ要約の前の放送を聞き落としたかもしれない。
【００８２】
ブロック５１０では、ＣＣ要約は通信する装置に送信される。例えば、装置から受信している通信に応答して、処理論理３０２はトランシーバ論理３０４を制御し、通信リンク３１０を使用して装置にＣＣ要約３１８を直接送信する。その後、方法はブロック５０２へ進む。
【００８３】
したがって、方法５００はネットワーク上の装置にＣＣ要約を効率的に分配するように作動する制御チャネルシステムの一実施例を提供するように作動する。方法５００は単に１つの実施を表わし、他の実施が実施例の範囲内で可能なことが注目されるべきである。
【００８４】
図６は制御チャネルシステムの実施例で使用される方法６００の一実施例を示す。明瞭さのために、方法６００は図３に示されたサーバ３００に関してここに記述される。例えば、一実施例において、処理論理３０２は以下に記述された機能を行なうためマシン判読可能な命令を実行する。
【００８５】
ブロック６０２では、ＣＣ要約は維持される。例えば、一実施例では、処理論理３０２はメモリ３０６にＣＣ要約３１８を維持するように作動する。
【００８６】
ブロック６０４では、１つ以上のサーバ要約が受信される。例えば、サーバ要約は通信リンク３１０を介してトランシーバ論理３０４によって受信され、メモリ３０６に記憶される。サーバ要約はネットワーク上の１つ以上のサーバからサーバ３００に送信される。
【００８７】
ブロック６０６では、ＣＣ要約の現行バージョンが受信されたサーバ要約からの情報で更新される。例えば、一実施例では、処理論理３０２はメモリ３０６に記憶された受信されたサーバ要約から情報を検索し、ＣＣ要約３１８を更新する。
【００８８】
ブロック６０８では、更新されたＣＣ要約は１つ以上のサーバに送信される。例えば、一実施例では、処理論理３０２は通信リンク３１０を使用してデータネットワーク上の１つ以上のサーバにＣＣ要約３１８を送信するようにトランシーバ論理３０４を制御する。例えば、一実施例では、ＣＣ要約３１８は流通システムの一部であるすべてのサーバに送信され、その結果、すべてのサーバが流通システムの現状を知るようになる。したがって、サーバの各々がＣＣ要約３１８の最新のコピーを持つように、ＣＣ要約３１８は任意の数のサーバに送信されてもよい。その結果、各サーバは、それがネットワーク上に装置を持つあらゆる通信においてＣＣ要約の最新のコピーを提供することができる。
【００８９】
したがって、方法６００はネットワーク上のサーバにＣＣ要約を効率的に分配するように作動する制御チャネルシステムの一実施例を提供するように作動する。方法６００は単に１つの実施を表わし、他の実施が実施例の範囲内で可能なことが注目されるべきである。
【００９０】
図７は制御チャネルシステムの実施例で使用される情報サーバ７００の一実施例を示す。例えば、サーバ７００は図１で示されたサーバ１０４、１０６、あるいは１０８のいずれとしても使用するに適している。サーバ７００は内部データバス７０８に接続された処理論理７０２、トランシーバ論理７０４およびメモリ７０６を含む。
【００９１】
１つ以上の実施例では、処理論理７０２はＣＰＵ、プロセッサ、ゲートアレイ、ハードウェア論理、メモリ素子、仮想計算機、ソフトウェアおよび/またはハードウェアとソフトウェアの任意の組合せを含む。したがって、処理論理７０２は一般にマシン判読可能な命令を実行し、内部データバス７０８を経てサーバ７００の１つ以上の他の機能要素を制御または通信する論理を含む。
【００９２】
トランシーバ論理７０４は、サーバ７００が通信リンク７１０を使用して遠隔装置またはシステムとデータおよび/または他の情報を送信および受信することを可能にするように作動するハードウェア論理および/またはソフトウェアを含む。例えば、一実施例では、通信リンク７１０は、サーバ７００がネットワーク上で通信することを可能にするために任意の適切なタイプの通信リンク７１０を含む。
【００９３】
一実施例において、トランシーバ論理７０４は、通信リンク７１０を介してＣＣサーバからＣＣ要約を受信するように構成された論理を含む。トランシーバ論理７０４は、さらに通信リンク７１０を使用して、ネットワーク上に情報を放送するように構成された論理を含む。トランシーバ論理７０４は、さらに通信チャネル７１０を使用して、ネットワークサーバまたは無線装置のような特別のネットワーク・エンティティに情報を直接送信（つまり、ユニキャスト、あるいはポイント・ツウ・ポイント）するように構成された論理を含む。
【００９４】
メモリ７０８は任意のタイプの情報を記憶するように作働可能な任意の適切なメモリ装置を含む。例えば、メモリ７０８はＲＡＭ、フラッシュ・メモリ、ＥＥＰＲＯＭ、ハードディスクおよび/または他のタイプの記憶装置を含んでもよい。一実施例では、メモリ７０８はサーバ７００で維持される１つ以上のサーバ要約を記憶するように作動する。
【００９５】
１つ以上の実施例の作動中に、サーバ７００は１つ以上のサーバ要約を維持し、メモリ７０８にそれらを記憶する。例えば、サーバ要約７１２はサーバ７００で維持される。サーバ要約７１２はサーバ７００の現状について記述する。サーバ７００はトランシーバ論理７０４を使用して、ＣＣサーバにサーバ要約７１２を送信するように作動する。例えば、トランシーバ論理７０４はＣＣサーバに通信リンク７１０を通してサーバ要約７１２を送信する。一実施例では、トランシーバ論理７０４はデータネットワークを使用して、ＣＣサーバと通信する。
【００９６】
その後、ＣＣサーバはサーバ７００にＣＣ要約を送信するように作動する。例えば、ＣＣ要約は通信リンク７１０を使用して、トランシーバ論理７０４によって受信される。次に、処理論理７０２は、７１４で示されるようにメモリに受信されたＣＣ要約を記憶する。例えば、ＣＣ要約７１４は流通システムの現状について記述する。
【００９７】
一実施例において、サーバがデータネットワーク上で装置にそのサーバ要約７１２を送信する場合、それはさらに同時にＣＣ要約を送信する。例えば、処理論理７０２は、通信リンク７１０を使用して、データネットワーク上でサーバ要約７１２および/またはＣＣ要約７１４を送信するようにトランシーバ論理７０４を制御する。別の実施例において、サーバ７００がデータネットワーク上の装置から情報の要求を受信する場合、サーバ７００は情報要求に答えて、その応答にＣＣ要約７１４を含ませる。例えば、処理論理７０２は、通信リンク７１０を使用して、要求された情報およびＣＣ要約７１４を要求している装置に直接送信するようにトランシーバ論理７０４を制御する。したがってサーバ７００からの情報を要求している装置はＣＣ要約７１４のコピーを受信するだろう。
【００９８】
一実施例では、制御チャネルシステムは、少なくとも１つのプロセッサ、例えば処理論理７０２によって実行された時、ここに記述された機能を提供するコンピュータ可読媒体上に記憶された１つ以上のプログラム命令（「プログラム命令」）を持つコンピュータプログラムを含む。例えば、プログラム命令は、フロッピー（登録商標）ディスク、ＣＤＲＯＭ、メモリカード、ＦＬＡＳＨメモリ装置、ＲＡＭ、ＲＯＭのようなコンピュータ可読媒体、またはサーバ７００にインターフェイスする任意の他のタイプのメモリ装置あるいはコンピュータ可読媒体からサーバ７００にロードされてもよい。別の実施例では、命令は、トランシーバ論理７０４を介してサーバ７００にインターフェイスする外部装置またはネットワーク資源からサーバ７００へダウンロードされてもよい。プログラム命令は、処理論理７０２によって実行された時、ここに記述されるような制御チャネルシステムの実施例を提供する。
【００９９】
その結果、制御チャネルシステムの実施例は受信されたサーバ要約を処理するように作動し、データネットワーク上の１つ以上の情報サーバに送信されるＣＣ要約を生成する。情報サーバが装置からの情報要求に答える場合、装置が流通システムの現状を決定することができるように、それはＣＣ要約のコピーを含んでいる。したがって、制御チャネルシステムの実施例は、流通システムの状態を記述するＣＣ要約を装置に効率的に分配するように作動する。
【０１００】
図８は制御チャネルシステムの実施例で使用される方法８００の一実施例を示す。方法８００は制御チャネルシステムの実施例中の情報サーバによる使用に適している。例えば、情報サーバは図１で示される管理サーバ１０８かもしれない。記述の明瞭さおよび容易さのために、方法８００は図７の中で示される情報サーバ７００に関して記述されるだろう。一実施例では、処理論理７０２のような少なくとも１つのプロセッサは、以下に述べられる情報サーバの機能を行なうように作動する。
【０１０１】
ブロック８０２では、サーバ要約は最新のサーバ情報で更新される。例えば、処理論理７０２は、それが提供する内容およびサービスの状態に関する情報でそのサーバ要約７１２を更新する。
【０１０２】
ブロック８０４では、最新のサーバ要約はＣＣサーバに送信される。例えば、処理論理７０２は、通信リンク７１０を使用して、ＣＣサーバにサーバ要約７１２を送信するようにトランシーバ論理７０４を制御する。
【０１０３】
ブロック８０６では、最新のＣＣ要約が受信される。例えば、ＣＣサーバは情報サーバ７００にＣＣ要約７１４を送信する。一実施例では、処理論理７０２はＣＣ要約７１４を受信し、メモリ７０６にそれを記憶する。
【０１０４】
ブロック８０８では、ＣＣ要約は情報サーバから放送／マルチキャストの一部として送信される。例えば、サーバ７００はその通常の動作の一部として、ネットワーク上の装置へ管理情報を放送またはマルチキャストしてもよい。それ自身の情報に加えて、受信されたＣＣ要約７１４は送信に含まれている。一実施例では、トランシーバ論理７０４は、通信リンク７１０を使用して、データネットワーク上で情報およびＣＣ要約７１４を放送する。したがって、サーバ７００からの放送／マルチキャストを受信することができるどんな装置も、ＣＣ要約７１４を受信することができるだろう。
【０１０５】
ブロック８１０では、装置の通信は受信される。例えば、任意のタイプのサーバ情報を要求するために、装置はサーバ７００と通信する。例えば、装置はサポートあるいは任意の他の管理機能を要求してもよい。一実施例では、装置の通信はトランシーバ論理７０４によって受信され、処理論理７０２に渡される。
【０１０６】
ブロック８１２では、ＣＣ要約は他のサーバ情報とともに送信される。例えば、サーバ７００はサーバ情報を装置に直接送信することにより装置からの通信に応答する。サーバ７００はこの送信の一部としてＣＣ要約７１４を含めるように作動する。したがって、サーバ７００と通信するどんな装置もＣＣ要約７１４を受信するだろう。
【０１０７】
したがって、方法８００はネットワーク上の装置にＣＣ要約を効率的に分配するように作動する制御チャネルシステムの一実施例を提供するように作動する。方法８００が単に１つの実施を表わし、他の実施が実施例の範囲内で可能なことが注目されるべきである。
【０１０８】
図９は制御チャネルシステムの実施例で使用されるＣＣサーバ９００の一実施例を示す。例えば、ＣＣサーバ９００は図１におけるサーバ１０２として使用するのに適する。
【０１０９】
ＣＣサーバ９００は１つ以上のサーバ要約を受信する手段（９０２）、ＣＣ要約を生成する手段（９０４）、１つ以上の情報サーバにＣＣ要約を送信する手段（９０６）、データネットワーク上でＣＣ要約を放送／マルチキャストする手段（９０８）、装置からの通信を受信する手段（９１０）、および装置にＣＣ要約を送信する手段（９１２）を含む。
【０１１０】
１つ以上の実施例では、ＣＣサーバ９００の手段は、一般目的のプロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理装置、個別のゲートまたはトランジスタ論理、個別のハードウェア構成要素、あるいはここに記述された機能を行なうように設計されたそれらの任意の組合せで実施または実行なわれてもよい。
【０１１１】
図１０は制御チャネルシステムの実施例で使用される情報サーバ１０００の一実施例を示す。例えば、情報サーバ１０００は図１で示される情報サーバ１０４、１０６、あるいは１０８いずれかとして使用するに適する。
【０１１２】
情報サーバ１０００はサーバ要約を生成する手段（１００２）、ＣＣサーバにサーバ要約を送信する手段（１００４）、ＣＣ要約を受信する手段（１００６）、データネットワーク上でＣＣ要約を放送／マルチキャストする手段（１００８）、装置からの通信を受信する手段（１０１０）、装置へＣＣ要約を送信する手段（１０１２）を含む。
【０１１３】
１つ以上の実施例において、情報サーバ１０００の手段は、一般目的のプロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理装置、個別のゲートまたはトランジスタ論理、個別のハードウェア構成要素、あるいはここに記述された機能を行なうように設計されたそれらの任意の組合せで実施または実行なわれてもよい。
【０１１４】
ここに示された実施例に関して記述された様々な例証となる論理、論理ブロック、モジュール、および回路が一般目的のプロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理装置、個別のゲートまたはトランジスタ論理、個別のハードウェア構成要素、あるいはここに記述された機能を行なうように設計されたそれらの任意の組合せで実施または実行されてもよい。一般目的のプロセッサはマイクロプロセッサでもよいが、代案では、プロセッサは任意の通常のプロセッサ、コントローラ、マイクロコントローラあるいは状態機械でもよい。プロセッサはまた、計算装置の組合せ、例えばＤＳＰとマイクロプロセッサの組合せ、複数のマイクロプロセッサ、ＤＳＰコアと協働する１個以上のマイクロプロセッサあるいは任意の他のそのような構成として実施されてもよい。
【０１１５】
ここに示された実施例に関して記述された方法またはアルゴリズムのステップは、ハードウェア、プロセッサによって実行されるソフトウェアモジュール、あるいは２つの組合せで直接具体化されてもよい。ソフトウェアモジュールは、ＲＡＭメモリ、フラッシュ・メモリ、ＲＯＭメモリ、ＥＰＲＯＭメモリ、ＥＥＰＲＯＭメモリ、レジスタ、ハードディスク、取外し可能ディスク、ＣＤ−ＲＯＭあるいは技術で既知の任意の他の形式の記憶媒体に存在してもよい。典型的な記憶媒体は、プロセッサが記憶媒体から情報を読み出し、記憶媒体に情報を書き込むことができるようにプロセッサと接続される。代案では、記憶媒体はプロセッサに一体化されるかもしれない。プロセッサと記憶媒体はＡＳＩＣに存在してもよい。ＡＳＩＣはユーザ端末に存在してもよい。代わりに、ロセッサと記憶媒体はユーザ端末の個別部品として存在してもよい。
【０１１６】
示された実施例の記述はどんな当業者も本発明を作るか使用することを可能にするために提供される。これらの実施例に対する様々な修正は、技術に熟練している人々に容易に明白かもしれない。ここに定義された総括的な法則は、発明の精神または範囲から逸脱することなく、他の実施例、例えばインスタント・メッセージング・サービスあるいは任意の一般的な無線データ通信アプリケーションに適用されるかもしれない。したがって、本発明はここに示された実施例に限定されるようには意図されず、ここに示された法則と新規な特徴と一致する最も広い範囲を与えられるべきである。「典型的である」という単語は、「例、実例あるいは例証として役立つ」ことを意味するために排他的にここに使用される。「典型的な」ものとしてここに記述されたどんな実施例も、他の実施例より好ましい、または有利であると必ずしも解釈することができない。
【０１１７】
従って、制御チャネルシステムの実施例がここに例証され記述されたが、それらの精神または本質的特質から逸脱することなく、実施例に様々な変更を行なうことができることが認識されるだろう。したがって、開示と記述は、ここに例証となるように意図されるが、次の請求項で述べられる発明の範囲の限定ではない。
【図面の簡単な説明】
【０１１８】
【図１】制御チャネルシステムの一実施例を含むネットワークを示す。
【図２】制御チャネルシステムの一実施例を含むネットワークを示す。
【図３】制御チャネルシステムの実施例で使用するに適したサーバの一実施例を示す。
【図４】制御チャネルシステムの実施例で使用される制御チャネル要約の一実施例を示す。
【図５】制御チャネルシステムの実施例で使用される方法の一実施例を示す。
【図６】制御チャネルシステムの実施例で使用される方法の一実施例を示す。
【図７】制御チャネルシステムの実施例で使用される情報サーバの一実施例を示す。
【図８】制御チャネルシステムの実施例で使用される方法の一実施例を示す。
【図９】制御チャネルシステムの実施例で使用するに適したサーバの一実施例を示す。
【図１０】制御チャネルシステムの実施例で使用するに適した情報サーバの一実施例を示す。
【図１】
2008532439.tif 000003
【図２】
2008532439.tif 000004
【図３】
2008532439.tif 000005
【図４】
2008532439.tif 000006
【図５】
2008532439.tif 000007
【図６】
2008532439.tif 000008
【図７】
2008532439.tif 000009
【図８】
2008532439.tif 000010
【図９】
2008532439.tif 000011
【図１０】
2008532439.tif 000012
【国際調査報告】
2008532439.tif 000013
2008532439.tif 000014